(57)【特許請求の範囲】
【請求項１】
露光機構が組み込まれるとともに、パトローネを収納するパトローネ収納室と、パトローネから引き出した写真フイルムをロール状に巻いたフイルムロールを収納するフイルムロール室とが形成された本体基部と、この背面側を覆う後カバーと、前記本体基部の前面側を覆う前カバーとを備えたレンズ付きフイルムユニットにおいて、
前記パトローネ収納室とフイルムロール室の各底部を光密に閉じる蓋部材を前カバーと固定した状態に一体成形するとともに、前記フイルムロールを巻取り軸ごとフイルムロール室に挿入してから本体基部の背面側に後カバーを被せ、フイルムロール室の底部に形成された切欠きと後カバーに形成された切欠きとによって挟み込まれた巻取り軸を抜き取り、この後に前カバーを本体基部の前面側に取り付けることにより、前記蓋部材によってパトローネ収納室とフイルムロール室の各底部を光密に閉じることを特徴とするレンズ付きフイルムユニット。
【請求項２】
前記蓋部材は、この縁部が、前記後カバーの縁部と係合することにより、前記パトローネ収納室とフイルムロール室の各底部を光密に閉じることを特徴とする請求項１記載のレンズ付きフイルムユニット。
【請求項３】
露光機構が組み込まれるとともに、パトローネを収納するパトローネ収納室と、パトローネから引き出した写真フイルムを巻取り軸の周りに巻きつけたロール状のフイルムロールを収納するフイルムロール室とが形成された本体基部と、この背面側を覆う後カバーと、前記本体基部の前面側を覆う前カバーとを備えたレンズ付きフイルムユニットの製造方法において、
前記パトローネ収納室とフイルムロール室の各底部を光密に閉じる蓋部材を前カバーと固定した状態に一体成形するとともに、暗室内にてパトローネ収納室にパトローネを挿入してからフイルムロール室にフイルムロールを巻取り軸ごと挿入する第１工程と、前記本体基部の背面に後カバーを装着した後、前記フイルムロールから巻取り軸を抜き取る第２工程と、前記前カバーを本体基部の前面側に装着することによりパトローネ収納室とフイルムロール室の各底部を前カバーの蓋部材によって光密に閉じる第３工程とからなることを特徴とするレンズ付きフイルムユニットの製造方法。
【発明の詳細な説明】
【０００１】
【産業上の利用分野】
本発明は、レンズ付きフイルムユニット及びその製造方法に関するものである。
【０００２】
【従来の技術】
簡易な露光機構を備えたユニット本体に製造段階で予めパトローネ付き写真フイルムを装填したレンズ付きフイルムユニット，例えば「写ルンですＳｕｐｅｒ８００」（商品名）が市販されている。このようなレンズ付きフイルムユニットは、ユニット本体に紙箱等の外ケースを被せたものである。
【０００３】
ユニット本体は、パトローネを収納するパトローネ収納室と、パトローネから引き出した写真フイルムをロール状に巻いたフイルムロールが収納されるフイルムロール室とが形成され、簡易な露光機構が組み込まれた本体基部と、この本体基部の前面側を覆う前カバーと、パトローネ収納室とフイルムロール室の各底部を覆うそれぞれの蓋部材がヒンジ部を介して一体成形され、本体基部の背面側を光密に覆う後カバーとから構成されている。
【０００４】
このレンズ付きフイルムユニットを組み立てるには、明室にて本体基部に露光機構を組み込んでから本体基部の前面側に前カバーを装着する。一方、暗室にて、パトローネから写真フイルムを引き出してこの先端を巻取り軸に係止し、巻取り軸を回転させて写真フイルムを巻き取り、ロール状のフイルムロールをつくる。暗室に移した本体基部のパトローネ収納室にパトローネを挿入してスプールの先端部を巻き上げノブと一体成形された係合軸に係合させてから、フイルムロールを巻取り軸ごとフイルムロール室に挿入する。
【０００５】
フイルムロール室の底側には、巻取り軸を通すＵ字形の切欠を有する鍔状のフイルム規制部が設けられており、本体基部の背面側に後カバーを装着すると、後カバーに一体成形された突起部がＵ字形の切欠に入り込み、この間から巻取り軸が外部に突出した状態になる。この巻取り軸を引き抜くと、フイルムロールの端面がフイルム規制部に当接してフイルムロールがフイルムロール室に残留する。この後、後カバーの各蓋部材をヒンジ部を中心に回動させて本体基部側に押しつけることにより、各蓋部材がパトローネ収納室とフイルムロール室の各底部に爪係合してこれらを光密に閉じる。このように組み立てられたユニット本体に紙製の外ケースを被せることによりレンズ付きフイルムユニットが完成される。
【０００６】
【発明が解決しようとする課題】
ところで、上述したように、後カバーの下側縁部には、ヒンジ部を介して蓋部材が形成されているため、組立工程の中に蓋部材の回動作業が必要となる。このため、組立工程が複雑になり、組立工程の自動化が困難であった。
【０００７】
本発明は、組立工程の簡略化，自動化に寄与する構成を備えたレンズ付きフイルムユニット及びその製造方法を提供することを目的とする。
【０００８】
【課題を解決するための手段】
上記目的を達成するために、本発明のレンズ付きフイルムユニットは、露光機構が組み込まれるとともに、パトローネを収納するパトローネ収納室と、パトローネから引き出した写真フイルムをロール状に巻いたフイルムロールを収納するフイルムロール室とが形成された本体基部と、この背面側を覆う後カバーと、前記本体基部の前面側を覆う前カバーとを備えたレンズ付きフイルムユニットにおいて、前記パトローネ収納室とフイルムロール室の各底部を光密に閉じる蓋部材を前カバーと固定した状態に一体成形するとともに、前記フイルムロールを巻取り軸ごとフイルムロール室に挿入してから本体基部の背面側に後カバーを被せ、フイルムロール室の底部に形成された切欠きと後カバーに形成された切欠きとによって挟み込まれた巻取り軸を抜き取り、この後に前カバーを本体基部の前面側に取り付けることにより、前記蓋部材によってパトローネ収納室とフイルムロール室の各底部を光密に閉じることを特徴とする。
【０００９】
【作用】
蓋部材を前カバーと固定した状態に一体成形したから、蓋部材を回動させる閉じ作業が不要なる。したがって、組立工程が簡略化され、自動化も容易になる。また、後カバーの縁部に蓋部材を設ける必要がなくなるから、後カバーの占有面積が小さくなり、組立スペースが狭くて済む。また、後カバーの縁部に丸みをつけることも可能になる。
【００１０】
また、前記蓋部材は、この縁部が後カバーの縁部と係合することにより、前記パトローネ収納室とフイルムロール室の各底部を光密に閉じるようにしたことを特徴とする。これにより、前カバーの蓋部材と後カバーとでパトローネ収納室とフイルムロール室が光密に閉じられるから、パトローネ収納室とフイルムロール室の各底部と各蓋部材との閉じ構造を簡略化することができる。
【００１１】
本発明のレンズ付きフイルムユニットの製造方法は、露光機構が組み込まれるとともに、パトローネを収納するパトローネ収納室と、パトローネから引き出した写真フイルムを巻取り軸の周りに巻きつけたロール状のフイルムロールを収納するフイルムロール室とが形成された本体基部と、この背面側を覆う後カバーと、前記本体基部の前面側を覆う前カバーとを備えたレンズ付きフイルムユニットの製造方法において、前記パトローネ収納室とフイルムロール室の各底部を光密に閉じる蓋部材を前カバーと固定した状態に一体成形するとともに、暗室内にてパトローネ収納室にパトローネを挿入してからフイルムロール室にフイルムロールを巻取り軸ごと挿入する第１工程と、前記本体基部の背面に後カバーを装着した後、前記フイルムロールから巻取り軸を抜き取る第２工程と、前記前カバーを本体基部の前面側に装着することによりパトローネ収納室とフイルムロール室の各底部を前カバーの蓋部材によって光密に閉じる第３工程とからなることを特徴とする。したがって、蓋部材の閉じ作業が不要になって組立工程が簡略化され、自動化も容易になる。
【００１２】
【実施例】
図２に示すように、レンズ付きフイルムユニット２０は、撮影機構等が内蔵されたユニット本体２１とこれを収納する外ケース２２とから構成されている。外ケース２２は、巻上げノブ２３，ストロボ発光部２４，シャッタボタン２５等を露呈させるような輪郭となっており、また、撮影レンズ２６，ファインダ２７及びカウンタ表示板２８等を露出させるための穴が設けられている。
【００１３】
ユニット本体２１は、図１に示すように、露光機構を前部に取り付けるとともに、背面側にパトローネ付き写真フイルム３０を収納する本体基部３１と、この背面側を覆う後カバー３２と、本体基部３１の前面側を覆う前カバー３３とからなる。
【００１４】
本体基部３１には、アパーチャ３５を挟んで左右に、パトローネ３６から引き出した写真フイルム３０をロール状に巻いたフイルムロール３０ａを収納するフイルムロール室３７と、パトローネ３６を収納するパトローネ収納室３８とが形成されている。また、フイルムロール室３７の底部側には、フイルムロール３０ａの端面位置を規制する鍔部３９が形成されている。この鍔部３９には、中央部にＵ字形の切欠３９ａが形成され、フイルムロール３０ａが巻取り軸４１ごとフイルムロール室３７に挿入できるようになっている。なお、本体基部３１の底部には、２個の係合爪４０ａ，４０ｂが形成されている。また、本体基部３１の上方には、２個の係合爪４０ｃ，４０ｄが形成されている。
【００１５】
後カバー３２の縁部３２ａには丸みがつけられており、ユニット本体２１のボディラインを滑らかにしている。また、後カバー３２には、切欠３９ａに挿入される突起部４３が形成されている。この先端部には、巻取り軸４１の径に対応した半円形の切欠４３ａが形成されており、フイルムロール３０ａをフイルムロール室３７に挿入した後、後カバー３２を本体基部３１の背面に被せると、巻取り軸４１が切欠３９ａと切欠４３ａとの間から突出される。なお、縁部３２ａには、前記係合爪４０ａ，４０ｂに対応した位置に係合孔４４ａ，４４ｂが形成されている。また、前記係合爪４０ｃ，４０ｄに対応した位置に係合爪４４ｃ，４４ｄが形成されている。
【００１６】
前カバー３３の下端側には、フイルムロール室３７，パトローネ収納室３８の各底部に対応した位置に、これらを後カバー３２と協働して光密に閉じる蓋部材４５，４６が前カバー３３と一体に形成されている。蓋部材４５，４６の縁端には、後カバー３２に形成された溝３２ｂ（図３参照）に係合される突条４５ａ，４６ａが形成されている。なお、撮影済みパトローネの取出しを容易にするため、蓋部材４６に肉薄部等を設け、蓋部材４６を破壊しやすくしておくことが好ましい。
【００１７】
このように構成されたレンズ付きフイルムユニット２０を組み立てるには、暗室内にて、パトローネ３６から写真フイルム３０を引き出し、これを巻取り軸４１の周りにロール状に巻きつけ、フイルムロール３０ａをつくる。このフイルムロール３０ａを斜め上方にした状態で、まず、パトローネ３６のスプール４８が巻上げノブ２３と一体成形された係合軸２３ａに係合されるように、パトローネ３６をパトローネ収納室３８に挿入する。次に、巻取り軸４１ごとフイルムロール３０ａを降下させ、フイルムロール室３７に挿入する。
【００１８】
この後、本体基部３１の背面側に後カバー３２を被せて本体基部３１側へ押圧すると、本体基部３１の係合爪４０ａ，４０ｂ，４０ｃ，４０ｄに、後カバー３２の係合孔４４ａ，４４ｂ，係合爪４４ｃ，４４ｄが係合し、本体基部３１に後カバー３２が係止される。このとき、鍔３９の切欠３９ａに突起部４３が挿入され、切欠３９ａと切欠４３ａとで形成された円形開口５０から巻取り軸４１が突出される。
【００１９】
この後、図３に示すように、巻取り軸４１を円形開口５０を介してフイルムロール３０ａから引き抜くと、フイルムロール３０ａは、鍔３９及び突起部４３によってその端面が規制されているから、フイルムロール室３７にそのまま残留する（Ａ）。続いて、本体基部３１の前面側に前カバー３３を爪係合によって装着する。これにより、蓋部材４５，４６の突条４５ａ，４６ａが縁部３２ａの溝３２ｂに挿入され、蓋部材４５，４６の縁部と後カバー３２の縁部３２ａとの隙間から内部への光洩れが発生することなく、円形開口５０を含むフイルムロール室３７の底部及びパトローネ収納室３８の底部が蓋部材４５，４６によって光密に閉じられる（Ｂ）。このようにフイルム装填が終了したユニット本体２１は、フイルム巻き上げや露光機構の作動テストを経た後、外ケース２２が被せられてレンズ付きフイルムユニット２０になる。
【００２０】
なお、蓋部材４５，４６の縁部と後カバー３２の縁部３２ａとの隙間を遮光するため、上記実施例では、蓋部材４５，４６の縁部に突条４５ａ，４６ａを形成し、これに対応した縁部３２ａには突条４５ａ，４６ａが入り込む溝３２ｂを形成したが、蓋部材４５，４６の縁部に溝を形成し、縁部３２ａに突条を形成するようにしてもよい。また、蓋部材４５，４６の縁部と後カバー３２の縁部３２ａとの隙間を遮光する構造は、上記のような溝と突条に限定されないのは勿論である。
【００２１】
【発明の効果】
以上のように、本発明のレンズ付きフイルムユニット及びその製造方法によれば、フイルムロール室，パトローネ収納室の各底部を光密に塞ぐ蓋部材を前カバーと固定した状態に一体成形したので、蓋部材を回動させる閉じ作業を不要にでき、組立工程の簡略化，自動化に寄与できる。また、後カバーにヒンジ部を設ける必要がなくなるから、後カバーの占有面積が小さくなり、狭いスペースで組立作業を行なうことができる。また、後カバーの縁部に丸みをつけることが容易にでき、これによってレンズ付きフイルムユニットのボディラインを滑らかにすることができる。また、フイルムロール室，パトローネ収納室の各底部を前カバーの蓋部材と後カバーとの係合で遮光するようにしたから、パトローネ収納室とフイルムロール室の各底部と各蓋部材との閉じ構造を簡略化することができる。
【図面の簡単な説明】
【図１】本発明に係るユニット本体の分解斜視図である。
【図２】本発明のレンズ付きフイルムユニットの外観斜視図である。
【図３】フイルムロール室の底部が前カバーの蓋部材により光密に閉じられる様子を示す説明端面図である。
【符号の説明】
２０  レンズ付きフイルムユニット
２１  ユニット本体
３０  パトローネ付き写真フイルム
３０ａ  フイルムロール
３１  本体基部
３２  後カバー
３２ａ  縁部
３３  前カバー
３７  フイルムロール室
３８  パトローネ収納室
４５，４６  蓋部材
５０  円形開口
【図１】
0003627992.tif 000002
【図２】
0003627992.tif 000003
【図３】
0003627992.tif 000004